(57)【要約】【課題】保存先の種類に関わらず簡単な操作で目的のディレクトリを選択可能な画像処理装置を提供すること。【解決手段】ファイルが保存された情報格納エリアおよびディレクトリのショートカットを記憶したお気に入り情報記憶部と、ファイルの選択をファイル選択画目により受付けるファイル選択受付手段と、利用する情報格納エリアの選択を受付ける情報格納エリア受付手段と、情報格納エリア受付手段により受付けた情報格納エリアが含まれるお気に入りのディレクトリを前記ファイル選択画面に表示制御するファイル選択画面表示制御手段とを有する。【選択図】図１
2012141743.tif 000002
【特許請求の範囲】
【請求項１】
複数の情報格納エリアにファイルを格納可能な画像処理装置であって、
前記ファイルが保存された情報格納エリアおよびディレクトリのショートカットを記憶したお気に入り情報記憶部と、
前記ファイルの選択をファイル選択画面により受付けるファイル選択受付手段と、
利用する前記情報格納エリアの選択を受付ける情報格納エリア受付手段と、
前記情報格納エリア受付手段により受付けた情報格納エリアが含まれるお気に入りのディレクトリを前記ファイル選択画面に表示制御するファイル選択画面表示制御手段と、
を有することを特徴とする画像処理装置。
【請求項２】
前記お気に入り情報記憶手段は、前記ショートカットと画像処理装置を利用するユーザ名を関連付けて記憶しており、
前記ファイル選択画面表示制御手段は、ログインしているユーザ名に対応したお気に入りのディレクトリを表示制御することと特徴とする請求項１記載の画像処理装置。
【請求項３】
前記ファイル選択画面表示制御手段により表示制御されたファイル選択画面に表示されたお気に入りのディレクトリが存在しない場合、前記お気に入り情報記憶部に記憶されたディレクトリを作成するディレクトリ作成手段を有することを特徴とする請求項１または２記載の画像処理装置。
【請求項４】
複数の情報格納エリアにファイルを格納可能で、当該ファイルが保存された情報格納エリアおよびディレクトリのショートカットを記憶したお気に入り情報記憶部を有する画像処理装置の制御方法であって、
前記ファイルの選択をファイル選択画面により受付けるファイル選択受付ステップと、
利用する前記情報格納エリアの選択を受付ける情報格納エリア受付ステップと、
前記情報格納エリア受付ステップにより受付けた情報格納エリアが含まれるお気に入りのディレクトリを前記ファイル選択画面に表示制御するファイル選択画面表示制御ステップと、
を有することを特徴とする画像処理装置の制御方法。
【請求項５】
複数の情報格納エリアにファイルを格納可能で、当該ファイルが保存された情報格納エリアおよびディレクトリのショートカットを記憶したお気に入り情報記憶部を有する画像処理装置を、
前記ファイルの選択をファイル選択画面により受付けるファイル選択受付手段と、
利用する前記情報格納エリアの選択を受付ける情報格納エリア受付手段と、
前記情報格納エリア受付手段により受付けた情報格納エリアが含まれるお気に入りのディレクトリを前記ファイル選択画面に表示制御するファイル選択画面表示制御手段と、
を有することを特徴とする画像処理装置として機能させるためのプログラム。
【請求項６】
請求項５に記載のプログラムを記録した記録媒体。
【発明の詳細な説明】
【技術分野】
【０００１】
本発明は、保存されたファイルをユーザによる操作パネルの操作から出力可能な画像処理装置に関する。
【背景技術】
【０００２】
近年、複合機などの画像処理装置の文書管理機能では、複数の保管先にファイルを保存しておくことが可能になっている。そして選択したファイルをプリンタやファクシミリなどに出力することが行われている。
【０００３】
特許文献１では、ＭＦＰの分野ではボックスと呼ばれるフォルダやディレクトリにファイルを保存しておき、そのファイルを選択することで、プリントなどの出力を行う画像処理装置が提案されている。
【特許文献１】特開２００９−２９０６５２
【発明の開示】
【発明が解決しようとする課題】
【０００４】
しかしながら、ボックスを選択する際、選択していたディレクトリ内のファイルを操作した後、トップのディレクトリに戻ってしまうケースがある。トップのディレクトリに戻ってしまうと、同じボックスに存在するファイルの操作を繰り返したい場合など、再度同じ操作を繰り返して階層を指定するのは非常に手間がかかる。
【０００５】
また、ファイルの保存先として、複合機が保存先として設定されるボックス、ＵＳＢメモリ、ネットワークドライブ、ネットワークボックスなど複数の保存先が設定可能な複合機が増えてきている。この場合、保存先を選択する際に、各保存先を指定してから、階層をたどることになるので、保存場所を指定することは煩雑な処理となってしまう。
【０００６】
そこで、本願発明では、保存先の種類に関わらず簡単な操作で目的のディレクトリを選択可能な画像処理装置を提供することを目的とする。
【課題を解決するための手段】
【０００７】
ファイルが保存された情報格納エリアおよびディレクトリのショートカットを記憶したお気に入り情報記憶部と、ファイルの選択をファイル選択画面により受付けるファイル選択受付手段と、利用する情報格納エリアの選択を受付ける情報格納エリア受付手段と、情報格納エリア受付手段により受付けた情報格納エリアが含まれるお気に入りのディレクトリを前記ファイル選択画面に表示制御するファイル選択画面表示制御手段とを有する。
【発明の効果】
【０００８】
本発明によれば、保存先の種類に関わらず簡単な操作で目的のディレクトリを選択可能な画像処理装置を提供することが可能となる。
【図面の簡単な説明】
【０００９】
【図１】本発明の実施形態に係る画像処理装置が接続されたシステム構成図である。
【図２】本発明の実施形態に係る画像処理装置のハードウェア構成図である。
【図３】本発明の実施形態に係る画像処理装置の機能構成図である。
【図４】本発明の実施形態に係る画像処理装置の画面遷移の一例を示す図である。
【図５】本発明の実施形態に係る画像処理装置のファイル選択画面表示処理の一例を示すフローチャートである。
【図６】本発明の実施形態に係る画像処理装置のお気に入りフォルダ表示処理の一例を示すフローチャートである。
【図７】本発明の実施形態に係る画像処理装置のお気に入りチェック表示処理の一例を示すフローチャートである。
【図８】本発明の実施形態に係る画像処理装置に記憶されたお気に入りＤＢの一例を示す図である。
【図９】本発明の実施形態に係る画像処理装置のお気に入り表示画面の一例を示す図である。
【図１０】本発明の実施形態に係る画像処理装置のお気に入り登録処理の一例を示すフローチャートである。
【図１１】本発明の実施形態に係る画像処理装置のお気に入り登録画面の一例を示す図である。
【発明を実施するための形態】
【００１０】
以下、図面を参照して、本発明の実施形態を詳細に説明する。
【００１１】
図１は、本発明の実施形態に係る画像処理装置が接続されたシステム構成図である。
【００１２】
クライアント装置１０１、複合機１０２、ＦＡＸ１０３およびサーバ装置１０４が通信ネットワーク５００を介して通信可能な状態で接続されている。それぞれの装置は複数台数設置可能である。
【００１３】
クライアント装置１０１は、ネットワーク上に接続された複合機１０２やＦＡＸ１０３などを利用することができる。また、ファイルの送信を複合機１０２のボックス１０７に送信することも可能である。
【００１４】
複合機１０２は、情報格納エリアとして、ＵＳＢメモリ１０６、ボックス１０７およびサーバ装置１０４に備えられたネットワークドライブ１０５などに格納可能である。ユーザは、複合機１０２を操作することで、情報格納エリアのフォルダからファイルを選択し、別の格納先へのファイルのコピーや印刷やＦＡＸ送信などの操作を行う。
【００１５】
ＵＳＢメモリ１０６は、複合機に接続可能な記憶媒体である。複合機１０２は、ＵＳＢメモリ１０６のＵＵＩＤ（Ｕｎｉｖｅｒｓａｌｌｙ  Ｕｎｉｑｕｅ  Ｉｄｅｎｔｉｆｉｅｒ）を用いて識別を行う。
【００１６】
ボックス１０７は、複合機１０２のハードディスクをＳＭＢやＷｅｂＤＡＶプロトコルなどで共有可能となっている。クライアント装置１０１から直接アクセスすることが可能で、例えばスキャンデータやＦＡＸ受信データをＰＤＦファイルなどの形式にてボックス１０７に保存することによりＰＣから共有したり、ファイルをボックス１０７に保存し、それを必要なときに複合機のパネル操作でプリントしたりすることができる。
【００１７】
ＦＡＸ１０３は、複合機１０２からの操作により、情報格納エリアに保存されたファイルを送信したり、受信したＦＡＸデータをボックス１０７に保存したりすることができる。ＦＡＸ１０３は、単体で構成されていてもよいし、複合機の機能として構成されていても構わない。
【００１８】
サーバ装置１０４は、ネットワークドライブ１０５を有している。ネットワーク５００に接続された各種デバイスから接続可能である。ネットワークドライブ１０５は、ボックス１０７の機能がサーバ装置１０４に記憶されるものである
【００１９】
図２は、本発明の実施形態に係る画像処理装置のハードウェア構成図である。図１に示した複合機１０２に適用可能である。
【００２０】
図２において、２１６はコントローラユニットで、画像入力デバイスとして機能するスキャナ２１４や、画像出力デバイスとして機能するプリンタ部２１２と接続する一方、ＬＡＮ（例えば、図１に示した通信ネットワーク５００）や公衆回線（ＷＡＮ）（例えば、ＰＳＴＮまたはＩＳＤＮ等）と接続することで、画像データやデバイス情報の入出力を行う。
【００２１】
コントローラユニット２１６において、２０１はＣＰＵで、システム全体を制御するプロセッサである。
【００２２】
２０２はＲＡＭで、ＣＰＵ２０１が動作するためのシステムワークメモリであり、プログラムを記録するためのプログラムメモリや、画像データを一時記録するための画像メモリでもある。２０３はＲＯＭで、システムのブートプログラムや各種制御プログラムが格納されている。
【００２３】
２０４はハードディスクドライブ（ＨＤＤ）で、システムを制御するための各種プログラム，画像データ等を格納する。
【００２４】
２０７は操作部インタフェース（操作部Ｉ／Ｆ）で、操作部（キーボード）２０８とのインタフェース部である。また、操作部Ｉ／Ｆ２０７は、操作部２０８から入力したキー情報（例えば、スタートボタンの押下など）をＣＰＵ２０１に伝える役割をする。
【００２５】
２０５はネットワークインタフェース（Ｎｅｔｗｏｒｋ Ｉ／Ｆ）で、通信ネットワーク５００に接続し、データの入出力を行う。
【００２６】
２０６はモデム（ＭＯＤＥＭ）で、公衆回線に接続し、ＦＡＸの送受信等のデータの入出力を行う。
【００２７】
２１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、認証処理で用いられるＩＣカードを読み取るためのカードリーダ２１９が外部Ｉ／Ｆ部２１８に接続されている。
【００２８】
そして、ＣＰＵ２０１は、この外部Ｉ／Ｆ２１８を介してカードリーダ２１９や不図示のＵＳＢメモリなどによるＩＣカードからの情報の読み取りを制御し、ＩＣカードから読み取られた情報を取得することが可能である。以上のデバイスがシステムバス２０９上に配置される。
【００２９】
３２０はイメージバスインタフェース（ＩＭＡＧＥ ＢＵＳ Ｉ／Ｆ）であり、システムバス２０９と画像データを高速で転送する画像バス２１５とを接続し、データ構造を変換するバスブリッジである。
画像バス２１５は、ＰＣＩバスまたはＩＥＥＥ１３９４で構成される。
画像バス２１５上には以下のデバイスが配置される。
【００３０】
２１０はラスタイメージプロセッサ（ＲＩＰ）で、例えば、ＰＤＬコード等のベクトルデータをビットマップイメージに展開する。
【００３１】
２１１はプリンタインタフェース（プリンタＩ／Ｆ）で、プリンタ部２１２とコントローラユニット２１６を接続し、画像データの同期系／非同期系の変換を行う。
【００３２】
また、２１３はスキャナインタフェース（スキャナＩ／Ｆ）で、スキャナ２１４とコントローラユニット２１６を接続し、画像データの同期系／非同期系の変換を行う。
【００３３】
２１７は画像処理部で、入力画像データに対し補正、加工、編集を行ったり、プリント出力画像データに対して、プリンタの補正、解像度変換等を行う。
【００３４】
また、これに加えて、画像処理部２１７は、画像データの回転や、多値画像データに対してはＪＰＥＧ、２値画像データはＪＢＩＧ、ＭＭＲ、ＭＨ等の圧縮伸張処理を行う。
【００３５】
スキャナ部２１４は、原稿となる紙上の画像を照明し、ＣＣＤラインセンサで走査す
ることで、ラスタイメージデータとして電気信号に変換する。
【００３６】
原稿用紙は原稿フィーダのトレイにセットし、装置使用者（ユーザ）が操作部２０８から読み取り起動指示することにより、ＣＰＵ２０１がスキャナ２１４に指示を与え、フィーダは原稿用紙を１枚ずつフィードし原稿画像の読み取り動作を行う。
【００３７】
プリンタ部２１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２０１からの指示によって開始する。なお、プリンタ部２１２には、異なる用紙サイズまたは異なる用紙向きを選択できるように複数の給紙段を持ち、それに対応した用紙カセットがある。
【００３８】
操作部２０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ２０７を介してＣＰＵ２０１に伝える。
【００３９】
また、操作部２０８は、各種操作キーとして、例えば、スタートキー、ストップキー、ＩＤキー、リセットキー等を備える。
【００４０】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００４１】
ここで、操作部２０８のスタートキーは、原稿画像の読み取り動作を開始する時などに用いる。
【００４２】
スタートキーの中央部には、緑と赤の２色ＬＥＤがあり、その色によってスタートキーが使える状態にあるかどうかを示す。
【００４３】
また、操作部２０８のストップキーは、稼働中の動作を止める働きをする。
【００４４】
また、操作部２０８のＩＤキーは、使用者のユーザＩＤを入力する時に用いる。
リセットキーは、操作部からの設定を初期化する時に用いる。
【００４５】
カードリーダ２１９は、ＣＰＵ２０１からの制御により、ＩＣカードに記憶されている情報（ＵＩＤ（ユーザＩＤ）などのユーザ識別可能なユーザ情報）を読み取り、該読み取った情報を外部Ｉ／Ｆ２１８を介してＣＰＵ２０１へ通知する。
【００４６】
以上のような構成によって、複合機１０２は、スキャナ２１４から読み込んだ画像データを通信ネットワーク５００上に送信したり、通信ネットワーク５００に接続された装置から受信した印刷データをプリンタ部２１２により印刷出力することができる。
【００４７】
また、スキャナ２１４から読み込んだ画像データをモデム２０６により、公衆回線上にＦＡＸ送信したり、公衆回線からＦＡＸ受信した画像データをプリンタ部２１２により出力することできる。
図３は、本発明の実施形態に係る画像処理装置の機能構成図である。
【００４８】
情報格納エリア判定部３０１、お気に入り情報取得部３０２、お気に入り編集部３０３およびファイル操作部３０４で構成されている。
【００４９】
情報格納エリア判定部では、ユーザがどこの情報格納エリアに保存されているファイルを利用するのかどうかを判定する。ユーザ操作により判定する。
【００５０】
情報格納エリアとは、ボックス３１２、ＵＳＢメモリ３１３およびネットワークドライブを指す。図１でも述べたがボックス３１２およびＵＳＢメモリ３１３は複合機に記憶されている。ネットワークドライブ３１４は、ネットワーク上のサーバに設けられた情報格納エリアである。情報格納エリアへは画像処理装置の各処理部から操作可能である。
【００５１】
お気に入り情報取得部３０２は、お気に入りＤＢ３１１に記憶されているお気に入り情報を取得する。お気に入りとは、ユーザが情報格納エリアのディレクトリに保存したファイルへ簡単にアクセスできるような情報を記憶したものであり、詳細については後述する。
【００５２】
お気に入り編集部３０３は、お気に入りＤＢ３１１に登録されているお気に入り情報を編集する。
【００５３】
ファイル操作部３０４は、選択したファイルへの操作とするもので、ファイルの操作とは、印刷、ファイルのコピー、削除、情報表示、名称変更などが挙げられる。
【００５４】
図４は、本発明の実施形態に係る画像処理装置の画面遷移の一例を示す図である。
【００５５】
起動後画面４１０は、複合機１０２の電源が起動されシステムが起動した後に表示される画面である。メインメニューに表示される機能を利用可能である。ここで保存ファイルの利用メニュー４１１を選択することで情報格納エリア選択画面４２０に遷移する。
【００５６】
情報格納エリア選択画面４２０では、保存ファイルがどの情報格納エリアに保存されているかを指定する。ネットワーク４２２が選択されるとネットワークドライブ内のフォルダ選択画面に、ＵＳＢメモリ４２３が選択されるとＵＳＢメモリ内のフォルダ選択画面に遷移する。
【００５７】
ここではボックス４２１が選択されたものとして説明する。ボックス４２１が選択されるとボックス内のフォルダ選択画面４３０に遷移する。フォルダ選択画面４３０では、ボックスのルートフォルダである「共有スペース」が表示される。
【００５８】
ボックス内のフォルダ選択画面４３０では、ボックス内のフォルダ４３１（ここでは共有スペース）を選択することで、フォルダ選択画面４４０を介してファイル選択画面４５０に遷移する。
【００５９】
ファイル選択画面４５０のファイル選択エリア４５１で利用したいファイルを選択し、プリントする４５２を選択すると、プリント中画面４６０に遷移し、プリント状態４６１が表示され、プリントが終了すると、プリント終了後表示画面４７０に遷移する。
【００６０】
プリント終了後表示画面４７０は、ボックス内のフォルダ選択画面４３０と同じものであり、この画面４７０が表示されるような場合、再度ファイルを選択するには上記一連の操作を行う。
【００６１】
なお、ファイル選択画面４５０において、フォルダ操作メニュー４５３が選択されると不図示のメニューが表示され、フォルダの新規作成、削除、名称変更などを選択することができ、その後は選択された操作用のメニューに遷移することになる。
【００６２】
図５は、本発明の実施形態に係る画像処理装置のファイル選択画面表示処理の一例を示すフローチャートである。図４の情報格納エリア選択画面４２０でのユーザ操作により処理が開始される。
【００６３】
ステップＳ５０１で情報格納エリア選択画面を表示する。ステップＳ５０２では選択を受付ける。ステップＳ５０３では、ＵＳＢメモリが選択されたかを判定し、ＵＳＢメモリが選択された場合はステップＳ５０４に進む。ステップＳ５０６では、ネットワークドライブが選択されたかを判定し、ネットワークドライブ選択された場合は、ステップＳ５０７に進む。ステップＳ５０６でネットワークドライブでなかった場合は、ボックスが選択されたことになり、ステップＳ５０８に進む。
【００６４】
ステップＳ５０４では、装着されたＵＳＢメモリからＵＵＩＤを取得する。ＵＳＢメモリが装着されていない場合は、ステップＳ５０２でＵＳＢメモリは選択できないものとする。ステップＳ５０５では、お気に入りＤＢよりステップＳ５０４で取得したＵＵＩＤと同じＵＵＩＤを持つお気に入りを取得してステップＳ５０９に進む。
【００６５】
ステップＳ５０７では、お気に入りＤＢよりネットワークドライブに対応したお気に入りを取得してステップＳ５０９に進む。
【００６６】
ステップＳ５０８では、お気に入りＤＢよりボックスに対応したお気に入りを取得してステップＳ５０９に進む。
【００６７】
図８は、本発明の実施形態に係る画像処理装置に記憶されたお気に入りＤＢの一例を示す図である。
【００６８】
ＩＤ８０１はお気に入りを特定するＩＤである。情報格納エリア８０２は、お気に入りの情報格納エリアがボックスなのか、ＵＳＢメモリなのか、ネットワークなのかが記憶されている。識別方法８０３は、ファイルの格納先の識別情報が記憶されている。例えば、ＵＳＢメモリの識別情報欄にはＵＵＩＤが記憶され、ネットワークの識別情報はサーバのＩＰアドレスと共有ドライブが設定されている。
【００６９】
ユーザ名８０４は、お気に入り登録時に複合機にログインしていたユーザ名が記憶されている。ディレクトリ８０５には、実際にファイルが格納されているディレクトリが表示されている。
【００７０】
ショートカット名８０６には、お気に入りに対して付与した任意の名前が記憶されている。例えばＩＤ３とＩＤ４のお気に入りのように、識別情報が異なる場合は、同一のディレクトリ・ショートカット名で登録可能となっている。
【００７１】
デフォルト表示フラグ８０７は、デフォルトで表示するかどうかの設定が記憶されており、デフォルトで表示するお気に入りには「１」が設定されている。
【００７２】
公開フラグ８０８は、他のユーザに公開するかどうかの設定が記憶されており、公開するお気に入りには「１」が設定されている。
図５の説明に戻る。
【００７３】
ステップＳ５０９では、お気に入りＤＢから該当するお気に入りが取得できたかどうかを判定し、取得できた場合はステップＳ５１０に進み、操作中のユーザがログインしているかどうかを判定する。ログインしていた場合はステップＳ５１３に進み、ログインしていない場合はステップＳ５１６に進む。
【００７４】
ステップＳ５１３では、ユーザ登録以外のお気に入りデータに、デフォルト表示の設定がされているものがあるかどうかを判定する。具体的には、お気に入りＤＢのユーザ名８０４が空で、デフォルト表示フラグ８０７に「１」が設定されているお気に入りがあるかどうかを判定する。
【００７５】
該当するお気に入りデータが存在しない場合は、ステップＳ５１４で、ステップＳ５０２で選択された情報格納エリアの最上位のフォルダが表示されたファイル選択画面が表示され処理が終了する。表示内容は、図４のボックス内のフォルダ選択画面４３０と同じ画面イメージで表示される。
【００７６】
ステップＳ５１３で該当するお気に入りデータが存在したと判定された場合は、ステップＳ５１５で、条件に一致したお気に入りディレクトリ内のファイルが表示されたファイル選択画面が表示され処理が終了する。表示内容は、図４のファイル選択画面４５０と同じイメージで表示される。
【００７７】
ステップＳ５１６では、ログインしているユーザに該当するお気に入りデータに、デフォルト表示の設定がされているものがあるかどうかを判定する。具体的には、お気に入りＤＢのユーザ名３０４にログイン中のユーザ名がセットされており、デフォルト表示フラグ８０７に「１」が設定されているお気に入りがあるかどうかを判定する。
【００７８】
該当するお気に入りデータが存在しない場合は、ステップＳ５１７で、ステップＳ５０２で選択された情報格納エリアの最上位のフォルダが表示されたファイル選択画面が表示され処理が終了する。
【００７９】
ステップＳ５１６で該当するお気に入りデータが存在したと判定された場合は、ステップＳ５１８で、条件に一致したお気に入りディレクトリ内ファイルが表示されたファイル選択画面が表示され処理が終了する
【００８０】
一方、ステップＳ５０９で、該当するお気に入りデータを取得できなかった場合は、ステップＳ５１１に進み、ステップＳ５０２で取得した情報格納エリア内の最上位のフォルダが表示されたファイル選択画面が表示され処理が終了する。
【００８１】
図６は、本発明の実施形態に係る画像処理装置のお気に入りフォルダ表示処理の一例を示すフローチャートである。
【００８２】
ステップＳ６０１でお気に入り表示ボタンが押下されることにより処理が開始される。お気に入りボタンとは、図９に示すファイル選択画面に設けられたボタンのことであり、お気に入りの登録やお気に入りの表示を行うためのボタンである。
【００８３】
図９は、本発明の実施形態に係る画像処理装置のお気に入り表示画面の一例を示す図である。図４のファイル選択画面４５０に、お気に入り登録ボタン９０１とお気に入り表示ボタン９０２が追加された画面である。お気に入り登録９０１を押下すると後述するお気に入り登録フローが開始される。
【００８４】
お気に入り表示画面９０２が選択されると現在開いている情報格納エリアに対応したお気に入りフォルダの一覧が表示される。ショートカット名９０３およびフォルダパス９０４が選択可能な状態で表示される。
【００８５】
チェックボックス９０５にチェックを入れておくことで、「この情報格納エリアを使用したときに、このフォルダを開くようにする」が有効になり、次回以降このフォルダがデフォルトで開かれるようになる。このチェックは、お気に入りＤＢのデフォルト表示フラグ８０７に「１」として記憶される。
【００８６】
お気に入りを選択して、削除ボタン９０６が押下されるとお気に入りが削除され、開くボタン９０７が押下されると、お気に入り内のファイルが表示される。保存ファイルの利用画面９１０でファイルを選択し、プリントメニュー９０９を押下すると印刷が開始され、フォルダ操作メニュー９０８が選択されるとフォルダ操作のメニューが開かれることになる。
【００８７】
なお、お気に入り登録ボタン９０１やお気に入り表示ボタン９０２は、どの画面に配置することも可能であり、配置された画面から呼び出されることにより、それぞれのボタンに対応した処理が実行されるものである。
【００８８】
図６の説明に戻る。ここでは、情報格納エリアが「ボックス」、ユーザ名が「ｔｅｓｔ１」である場合を例として説明する。
【００８９】
ステップＳ６０２では、操作しているユーザがログインしているかどうかを判定し、ログインしていない場合ステップＳ６０４に進み、お気に入りＤＢより公開フラグ８０８が「１」のデータを取得する。具体的には図８の表示パターン１の内容が取得される。ログインなしのため、公開フラグが「１」のお気に入りデータが取得される。
【００９０】
一方、ユーザがログインしていた場合、ステップＳ６０３に進み、不図示画面で「ログインユーザのみのお気に入りを表示するか」をユーザに確認する。回答が「ＮＯ」であった場合ステップＳ６０５に進み、ログインユーザに該当するお気に入りと公開フラグが「１」のお気に入りデータを取得する。具体的には図８の表示パターン２の内容が取得される。「ｔｅｓｔ１」のお気に入りと公開フラグが「１」のお気に入りデータが取得される。
【００９１】
ユーザからの回答が「ＹＥＳ」であった場合、ステップＳ６０６に進み、ログインユーザに該当するお気に入りデータのみ取得する。具体的には図８の表示パターン３の内容が取得される。「ｔｅｓｔ１」のお気に入りのみ取得する。
【００９２】
次にステップＳ６０７でお気に入りチェック処理を実行する。詳細については、後述するが、取得したお気に入りデータが現時点でも存在しているかどうかなどのチェックを行うものである。この処理を実行するかしないかは自由に選択が可能である。
【００９３】
ステップＳ６０８では、条件により取得されたお気に入りの一覧を図９のお気に入りフォルダ一覧画面に示すように表示する。ステップＳ６０９では、お気に入りの選択を受付け、ステップＳ６１０では、選択されたお気に入りデータのディレクトリ内のファイル一覧を図９の保存ファイルの利用画面９１０で表示して処理を終了する。
【００９４】
図７は、本発明の実施形態に係る画像処理装置のお気に入りチェック表示処理の一例を示すフローチャートである。
【００９５】
まず、ステップＳ７０１で該当するお気に入りデータ（図６のフローチャートのＳ６０４〜Ｓ６０６で取得した件）の数をカウントする。ステップＳ７０２でループカウンタを初期化して、ステップＳ７０３からステップＳ７１１までの間、ステップＳ７０１でカウントした数だけ繰り返す。
【００９６】
ステップＳ７０４では、取得したお気に入りのディレクトリが、実際に存在するかどうかのチェックを行い、ステップＳ７０５で存在するかどうかの判定を行う。
【００９７】
お気に入りのディレクトリが存在する場合はステップＳ７１０に進み、一方、存在しない場合はステップＳ７０６に進み、ディレクトリが存在しない旨の表示を行い、不図示の画面により「ディレクトリを復帰するか」ユーザに確認する。
【００９８】
復帰する旨の回答があった場合は、ステップＳ７０８に進み、お気に入りに登録されていたディレクトリを対象の情報格納エリアに作成し、ステップＳ７１０に進む。ステップＳ７１０では、お気に入りディレクトリの表示リストにセットする。
【００９９】
復帰する旨の回答が得られなかった場合には、当該お気に入りをお気に入り一覧から削除してステップＳ７１１に進み、全件終了するまで処理を繰り返す。
【０１００】
図１０は、本発明の実施形態に係る画像処理装置のお気に入り登録処理の一例を示すフローチャートである。図９に示すお気に入り登録ボタン９０１や図１１に示すお気に入り登録ボタン１１０１が押下されることにより処理が開始される。
【０１０１】
ステップＳ１００１で、選択されたディレクトリのお気に入り登録を受付ける。
【０１０２】
ステップＳ１００２で、受付けたディレクトリのパスと一致するお気に入り登録があるかをお気に入りＤＢに確認し、一致しない場合はステップＳ１００４に進む。
【０１０３】
一致するお気に入り登録が存在する場合には、ステップＳ１００３不図示の画面で「ショートカットを別名登録するか」問い合わせる。不要である場合、処理を終了する。一方、別名登録する場合には、ステップＳ１００４にてショートカット名の入力を受付ける。
【０１０４】
ステップＳ１００４はお気に入りＤＢに登録するショートカット名の入力を図１１に示すお気に入り登録ダイアログを利用して受付ける。
【０１０５】
ステップＳ１００５では、ユーザがログインしているかどうかを判定し、ログインしている場合はステップＳ１００６に進み、登録するお気に入りを公開するかどうかを受付ける。公開することを受付けた場合、ステップＳ１００７で、お気に入りＤＢの公開フラグ８０８に「１」をセットする。公開することを受付けない場合、ステップＳ１００８へ進む。
【０１０６】
ステップＳ１００５で、ログインしていないと判定された場合は、ステップＳ１００７に進み、公開フラグがＯＮに設定される。
【０１０７】
ステップＳ１００８では、お気に入りのディレクトリパスを図８に示すお気に入りＤＢに登録して処理を終了する。
【０１０８】
図１１は、本発明の実施形態に係る画像処理装置のお気に入り登録画面の一例を示す図である。図１０のフローチャートが処理される際に表示される画面の一例である。
【０１０９】
お気に入り登録ボタン１００１が押下されることにより、お気に入り登録ダイアログが表示される。ダイアログで、ショートカット名入力欄１１０２にショートカットを入力しＯＫボタン１１０６を押下することとで１１０７の画面が表示されお気に入りＤＢに登録される。ダイアログで変更ボタン１１０４が押下されると、キーボード画面１１０５が表示され、変更することが可能となる。
【０１１０】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１１１】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【０１１２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１１３】
この場合、記録媒体から読み出されたプログラム自体が本発明の新規な機能を実現することになり、そのプログラムを記憶した記録媒体は本発明を構成することになる。
【０１１４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１１５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１８】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１１９】
なお、上述した各実施形態およびその変形例を組み合わせた構成も全て本発明に含まれるものである。
【符号の説明】
【０１２０】
１０１  クライアント装置
１０２  複合機
１０３  ＦＡＸ
１０４  サーバ装置
１０５  ネットワークドライブ
１０６  ＵＳＢメモリ
１０７  ボックス
【図１】
2012141743.tif 000003
【図２】
2012141743.tif 000004
【図３】
2012141743.tif 000005
【図４】
2012141743.tif 000006
【図５】
2012141743.tif 000007
【図６】
2012141743.tif 000008
【図７】
2012141743.tif 000009
【図８】
2012141743.tif 000010
【図９】
2012141743.tif 000011
【図１０】
2012141743.tif 000012
【図１１】
2012141743.tif 000013